(57)【要約】【課題】保護制御装置の更新時において、信頼性確保のために少なくとも２重系の保護制御を行いつつ、容易に、且つ、短時間で旧設備から新設備への運用切り替えを行うことが可能な変電所保護制御システムおよびその更新方法を得ること。【解決手段】変電所機器１０１からの状態信号に基づいて、変電所機器１０１に対する制御出力を行うる４以上の複数台の保護制御装置１１〜１４と、保護制御装置１１，１２，１３，１４のうちの２以上を運転モードに設定する運転／停止モード設定部４０を備え、各保護制御装置１１〜１４を更新する際に、２以上の保護制御装置１１〜１４の更新完了後において、更新を完了していない２以上の保護制御装置１１〜１４を運転モードから停止モードに切り替えた後に、更新を完了した２以上の保護制御装置１１〜１４を停止モードから運転モードに切り替えるようにした。【選択図】図２
2014107967.tif 000002
【特許請求の範囲】
【請求項１】
変電所内の変電所機器を制御する変電所保護制御システムであって、
前記変電所機器からの状態信号に基づいて、前記変電所機器に対する制御出力を行う４以上の複数台の保護制御装置と、
前記各保護制御装置を個別に運転モードあるいは停止モードのいずれかに設定する機能を有し、前記各保護制御装置のうちの２以上を前記運転モードに設定する運転／停止モード設定部と、
を備え、
前記運転／停止モード設定部は、
前記各保護制御装置を更新する際に、２以上の前記保護制御装置の更新完了後において、更新を完了していない２以上の前記保護制御装置を前記運転モードから前記停止モードに切り替えた後に、更新を完了した２以上の前記保護制御装置を前記停止モードから前記運転モードに切り替える
ことを特徴とする変電所保護制御システム。
【請求項２】
前記運転モードに設定された前記各保護制御装置に前記状態信号を出力するＤＩ部と、
前記運転モードに設定された前記各保護制御装置の前記各制御出力の論理積演算結果を前記変電所機器への制御信号として送信するＤＯ部と、
を備えることを特徴とする請求項１に記載の変電所保護制御システム。
【請求項３】
前記運転／停止モード設定部は、
前記各保護制御装置毎に、前記運転モードであることを示す”１”、あるいは、前記停止モードであることを示す”０”を運転／停止モード信号として出力し、
前記ＤＩ部は、
前記各保護制御装置毎に、前記状態信号と前記各運転／停止モード信号との論理積を演算し、当該各演算結果をそれぞれ前記各保護制御装置毎の前記状態信号として出力する４以上の論理積演算部を備え、
前記ＤＯ部は、
前記各保護制御装置毎に、前記各制御出力と前記各運転／停止モード信号との論理積を演算する４以上の第１の演算部と、
前記各保護制御装置のうち、いずれか１つを除いた３以上の各保護制御装置に対応する前記各第１の演算部の各演算結果の論理積を演算する４以上の第２の演算部と、
前記各運転／停止モード信号を論理反転する４以上の論理反転部と、
前記各保護制御装置のうち、２以上の各保護制御装置に対応する前記各論理反転部の各演算結果の論理和あるいは論理積を演算する６以上の第３の演算部と、
前記各保護制御装置のうち、前記２以上の各保護制御装置を除いた他の２以上の各保護制御装置に対応する前記各第１の演算部の各演算結果と前記２以上の各保護制御装置に対応する前記第３の演算部の各演算結果との論理積を演算する６以上の第４の演算部と、
を備え、
前記各第２の演算部の各演算結果および前記各第４の演算部の各演算結果の論理和を前記制御信号として出力する
ことを特徴とする請求項２に記載の変電所保護制御システム。
【請求項４】
変電所内の変電所機器に対する制御出力を行うｎ台（ｎは４以上の整数）の保護制御装置を有する変電所保護制御システムの更新方法であって、
ｋ台（ｋは２以上の整数）の前記保護制御装置を停止させ、当該ｋ台の前記保護制御装置を旧設備から新設備に更新するステップと、
更新を完了していない（ｎ−ｋ）台の前記保護制御装置を停止させるステップと、
更新を完了したｋ台の前記保護制御装置の運転を開始するステップと、
更新を完了していない（ｎ−ｋ）台の前記保護制御装置を旧設備から新設備に更新し、当該（ｎ−ｋ）台の前記保護制御装置の運転を開始するステップと、
を有することを特徴とする変電所保護制御システムの更新方法。
【発明の詳細な説明】
【技術分野】
【０００１】
本発明は、変電所保護制御システムおよびその更新方法に関する。
【背景技術】
【０００２】
電鉄用の変電所保護制御システムの旧設備から新設備へのシステム更新においては、旧設備での列車運行を行いつつ、夜間等の列車運行を行わない限られた時間帯で新設備への更新作業を行う必要がある。
【０００３】
従来、システムの運転を長時間停止させることなく制御盤を旧設備から新設備に更新する技術として、例えば、旧設備への配線間に中継盤を設けて活線状態で直スリーブ接続してその直スリーブ接続した２点間を切断し、その２点間に新設備を接続した後に、新設備に切り替える技術が開示されている（例えば、特許文献１）。
【先行技術文献】
【特許文献】
【０００４】
【特許文献１】特開２０００−１３９３６号公報
【発明の概要】
【発明が解決しようとする課題】
【０００５】
一般に、電鉄用の変電所保護制御システムにおいては、信頼性確保のため、同等の機能を有する複数台の保護制御装置を設けて多重化し、各保護制御装置の論理積出力を制御出力とする構成とすることにより、誤制御を防止するようにしている。しかしながら、上記従来技術を用いて、多重化した各保護制御装置の更新を行う場合には、多重化した各保護制御装置毎に中継盤が必要となり、これら複数の中継盤の配線作業に相当の時間と労力とを要する、という問題があった。また、保護制御装置を１台ずつ更新する場合には、全ての保護制御装置の更新が完了した後に、旧設備から新設備への運用切り替えを行う必要があるため、保護制御装置の多重化による保護制御の信頼性を確保できない場合がある、という問題があった。
【０００６】
本発明は、上記に鑑みてなされたものであって、保護制御装置の更新時において、信頼性確保のために少なくとも２重系の保護制御を行いつつ、容易に、且つ、短時間で旧設備から新設備への運用切り替えを行うことが可能な変電所保護制御システムおよびその更新方法を提供することを目的とする。
【課題を解決するための手段】
【０００７】
上述した課題を解決し、目的を達成するため、本発明にかかる変電所保護制御システムは、変電所内の変電所機器を制御する変電所保護制御システムであって、前記変電所機器からの状態信号に基づいて、前記変電所機器に対する制御出力を行う４以上の複数台の保護制御装置と、前記各保護制御装置を個別に運転モードあるいは停止モードのいずれかに設定する機能を有し、前記各保護制御装置のうちの２以上を前記運転モードに設定する運転／停止モード設定部と、を備え、前記運転／停止モード設定部は、前記各保護制御装置を更新する際に、２以上の前記保護制御装置の更新完了後において、更新を完了していない２以上の前記保護制御装置を前記運転モードから前記停止モードに切り替えた後に、更新を完了した２以上の前記保護制御装置を前記停止モードから前記運転モードに切り替えることを特徴とする。
【発明の効果】
【０００８】
本発明によれば、保護制御装置の更新時において、少なくとも２重系の保護制御を行いつつ、容易に、且つ、短時間で旧設備から新設備への運用切り替えを行うことが可能となる、という効果を奏する。
【図面の簡単な説明】
【０００９】
【図１】図１は、変電所保護制御システムの一構成例を示す図である。
【図２】図２は、実施の形態にかかる変電所保護制御システムの全体構成の一例を示す図である。
【図３】図３は、実施の形態にかかる変電所保護制御システムのＤＩ部の内部構成の一例を示す図である。
【図４】図４は、実施の形態にかかる変電所保護制御システムのＤＯ部の内部構成の一例を示す図である。
【図５】図５は、実施の形態にかかる変電所保護制御システムにおける設備更新手順の一例を示す図である。
【発明を実施するための形態】
【００１０】
以下に添付図面を参照し、本発明の実施の形態にかかる変電所保護制御システムおよびその更新方法について説明する。なお、以下に示す実施の形態により本発明が限定されるものではない。
【００１１】
実施の形態．
図１は、変電所保護制御システムの一構成例を示す図である。図１に示す変電所保護制御システム１０では、信頼性確保のため、変電所１００内に同等の機能を有する２つの保護制御装置１１，１２を設け、１系の保護制御装置１１による制御出力と２系の保護制御装置１２による制御出力との論理積演算結果を変電所機器１０１への制御信号として出力することにより、誤制御を防止するようにしている。
【００１２】
図２は、実施の形態にかかる変電所保護制御システムの全体構成の一例を示す図である。図２に示すように、実施の形態にかかる変電所保護制御システム１０は、通常運用時において４重系の保護制御が可能な構成であり、同等の機能を有し、変電所機器１０１からの状態信号に基づいて、変電所機器１０１に対する制御出力を行うＡ系〜Ｄ系の４台の保護制御装置１１〜１４を設け、これらＡ系〜Ｄ系の各保護制御装置１１〜１４を個別に運転モードあるいは停止モードのいずれかに設定する機能を有し、これらＡ系〜Ｄ系の各保護制御装置１１〜１４のうちの２以上を運転モードに設定し、各保護制御装置１１〜１４毎に、運転モードであるか停止モードであるかを示す各運転／停止モード信号２１〜２４，３１〜３４を出力する運転／停止モード設定部４０と、各運転／停止モード信号２１〜２４に基づいて、各保護制御装置１１〜１４のうち、運転モードに設定された各保護制御装置に変電所機器１０１からの状態信号を出力するＤＩ部２０と、各運転／停止モード信号３１〜３４に基づいて、各保護制御装置１１〜１４のうち、運転モードに設定された各保護制御装置の各制御出力の論理積演算結果を変電所機器１０１への制御信号として送信するＤＯ部３０とを備えている。なお、各保護制御装置１１〜１４の各運転／停止モード信号２１〜２４と各運転／停止モード信号３１〜３４とは、それぞれ同一、つまり、保護制御装置１１の運転／停止モード信号２１および運転／停止モード信号３１、保護制御装置１２の運転／停止モード信号２２および運転／停止モード信号３２、保護制御装置１３の運転／停止モード信号２３および運転／停止モード信号３３、保護制御装置１４の運転／停止モード信号２４および運転／停止モード信号３４は、それぞれ同一の論理信号であるが、ここでは、以下の説明の都合上、ＤＩ部２０への各運転／停止モード信号２１〜２４とＤＯ部３０への各運転／停止モード信号３１〜３４とを区別している。
【００１３】
図３は、実施の形態にかかる変電所保護制御システムのＤＩ部の内部構成の一例を示す図である。図３に示すように、ＤＩ部２０は、変電所機器１０１からの状態信号２９を受信して、受信した状態信号２９と運転／停止モード設定部４０から出力される各運転／停止モード信号２１〜２４との論理積を演算して、これら各演算結果をそれぞれ４台の各保護制御装置１１〜１４への各状態信号２５〜２８として出力する４つの論理積演算部５１〜５４を備えている。
【００１４】
図４は、実施の形態にかかる変電所保護制御システムのＤＯ部の内部構成の一例を示す図である。図４に示すように、ＤＯ部３０は、４台の各保護制御装置１１〜１４から出力される各制御出力３５〜３８と運転／停止モード設定部４０から出力される各運転／停止モード信号３１〜３４との論理積をそれぞれ演算する４つの第１の演算部６１〜６４と、４台の各保護制御装置１１〜１４のうち、いずれか１つを除いた３台の各保護制御装置に対応する第１の演算部６１〜６４の各演算結果（図４中のａ）の論理積を演算する４つの第２の演算部６５〜６８と、各運転／停止モード信号の論理反転を行う４つの論理反転部７１〜７４と、４台の各保護制御装置１１〜１４のうち、２台の各保護制御装置に対応する各論理反転部７１〜７４の各演算結果（図４中のｄ）の論理和を演算する６つの第３の演算部８２〜８７と、４台の各保護制御装置１１〜１４のうち、上記２台の各保護制御装置を除いた他の２台の各保護制御装置に対応する各第１の演算部６１〜６４の各演算結果（図４中のａ）と上記２台の各保護制御装置に対応する第３の演算部８２〜８７の各演算結果（図４中のｅ）との論理積を演算する６つの第４の演算部９１〜９６と、各第２の演算部６５〜６８の各演算結果（図４中のｂ）の論理和を演算する第５の演算部８１と、各第４の演算部９１〜９６の各演算結果（図４中のｆ）の論理和を演算する第６の演算部８８と、第５の演算部８１の演算結果（図４中のｃ）と第６の演算部８８の演算結果（図４中のｇ）との論理和を演算して、その演算結果（図４中のｈ）を変電所機器１０１への制御信号３９として出力する第７の演算部８９とを備えている。なお、図４に示す例では、論理和演算回路を用いて第３の演算部８２〜８７を構成した例を示したが、論理積演算回路を用いて第３の演算部８２〜８７を構成してもよい。また、第５の演算部８１、第６の演算部８８、および第７の演算部８９をまとめて１つの論理和演算回路を用いて構成し、各第２の演算部６５〜６８の各演算結果および各第４の演算部９１〜９６の各演算結果の論理和を変電所機器１０１への制御信号として出力するようにしてもよいことは言うまでもない。
【００１５】
つぎに、実施の形態にかかる変電所保護制御システム１０の具体的な動作について、図２〜図４を参照して説明する。
【００１６】
実施の形態にかかる変電所保護制御システム１０では、通常運用時においては、運転／停止モード設定部４０から出力される各運転／停止モード信号２１〜２４，３１〜３４はいずれも「運転モード」であることを示す”１”に設定される。つまり、ＤＩ部２０においては、Ａ系〜Ｄ系の各保護制御装置１１〜１４には、それぞれ各状態信号２５〜２８が出力される。
【００１７】
ＤＯ部３０においては、各保護制御装置１１〜１４から出力される各制御出力３５〜３８の多数決（４出力のうちの３出力）により、変電所機器１０１に制御信号３９が送信される。つまり、Ａ系〜Ｄ系の各保護制御装置１１〜１４のうちのいずれか１つに誤出力あるいは誤不出力が発生した場合でも、変電所機器１０１に正常な制御信号３９が送信される。また、Ａ系〜Ｄ系の各保護制御装置１１〜１４のうちのいずれか１つに処理遅延が発生した場合でも、変電所機器１０１に正常な制御信号３９が遅延なく送信される。
【００１８】
また、例えば、Ｄ系の保護制御装置１４で異常が発生した場合には、運転／停止モード設定部４０は、各運転／停止モード信号２４，３４を「運転モード」であることを示す”１”から「停止モード」であることを示す”０”に切り替える。このとき、ＤＩ部２０においては、Ｄ系の保護制御装置１４への状態信号２８の出力が停止される。
【００１９】
ＤＯ部３０においては、Ｄ系の保護制御装置１４から出力される制御出力３８が無効化され、Ｄ系の保護制御装置１４から出力される制御出力３８を除くＡ系〜Ｃ系の各保護制御装置１１〜１３から出力される各制御出力３５〜３７の多数決（３出力のうちの２出力）により、変電所機器１０１に制御信号３９が送信される。つまり、Ａ系〜Ｃ系の各保護制御装置１１〜１３のうちのいずれか１つに誤出力あるいは誤不出力が発生した場合でも、変電所機器１０１に正常な制御信号３９が送信される。また、Ａ系〜Ｃ系の各保護制御装置１１〜１３のうちのいずれか１つに処理遅延が発生した場合でも、変電所機器１０１に正常な制御信号３９が遅延なく送信される。
【００２０】
さらに、例えば、Ｄ系の保護制御装置１４に加えて、Ｃ系の保護制御装置１３でも異常が発生した場合には、運転／停止モード設定部４０は、各運転／停止モード信号２３，２４，３３，３４を「運転モード」であることを示す”１”から「停止モード」であることを示す”０”に切り替える。このとき、ＤＩ部２０においては、Ｃ系およびＤ系の保護制御装置１３，１４への各状態信号２７，２８の出力が停止される。
【００２１】
ＤＯ部３０においては、Ｃ系およびＤ系の保護制御装置１３，１４から出力される制御出力３７，３８が無効化され、Ｃ系およびＤ系の保護制御装置１３，１４から出力される各制御出力３７，３８を除くＡ系およびＢ系の各保護制御装置１１，１２から出力される各制御出力３５，３６の論理積演算結果により、変電所機器１０１に制御信号３９が送信される。つまり、Ａ系およびＢ系の各保護制御装置１１，１２の双方の出力が一致した場合に、変電所機器１０１に制御信号３９が送信される。これにより、誤出力が抑止され、変電所機器１０１に正常な制御信号３９が送信される。
【００２２】
つぎに、上述した本実施の形態にかかる変電所保護制御システム１０において、Ａ系〜Ｄ系の各保護制御装置１１〜１４を旧設備から新設備に更新する例について、図５を参照して説明する。図５は、実施の形態にかかる変電所保護制御システムにおける設備更新手順の一例を示す図である。
【００２３】
まず、旧設備であるＡ系〜Ｄ系の保護制御装置１１〜１４による４重系の保護制御を行っている通常運用時において、運転／停止モード設定部４０は、Ａ系の保護制御装置１１に対する各運転／停止モード信号２１，３１を「運転モード」であることを示す”１”から「停止モード」であることを示す”０”に切り替える（ステップＳＴ１０１）。このとき、ＤＩ部２０においては、Ａ系の保護制御装置１１への状態信号２５の出力が停止され、ＤＯ部３０においては、Ａ系の保護制御装置１１から出力される制御出力３５が無効化され、Ａ系の保護制御装置１１から出力される制御出力３５を除くＢ系〜Ｄ系の各保護制御装置１２〜１４から出力される各制御出力３６〜３８の多数決（３出力のうちの２出力）により、変電所機器１０１に制御信号３９が送信される。つまり、Ａ系の保護制御装置１１が運用から切り離される。これにより、旧設備であるＢ系〜Ｄ系の保護制御装置１２〜１４による３重系の保護制御が開始される。ここで、Ａ系の保護制御装置１１を旧設備から新設備に取替える（ステップＳＴ１０２）。
【００２４】
続いて、運転／停止モード設定部４０は、Ａ系の保護制御装置１１に対する各運転／停止モード信号２１，３１に加えて、Ｂ系の保護制御装置１２に対する各運転／停止モード信号２２，３２を「運転モード」であることを示す”１”から「停止モード」であることを示す”０”に切り替える（ステップＳＴ１０３）。このとき、ＤＩ部２０においては、Ａ系およびＢ系の保護制御装置１１，１２への各状態信号２５，２６の出力が停止され、ＤＯ部３０においては、Ａ系およびＢ系の保護制御装置１１，１２から出力される制御出力３５，３６が無効化され、Ａ系およびＢ系の保護制御装置１１，１２から出力される各制御出力３５，３６を除くＣ系およびＤ系の各保護制御装置１３，１４から出力される各制御出力３７，３８の論理積結果により、変電所機器１０１に制御信号３９が送信される。つまり、Ａ系の保護制御装置１１に加えて、Ｂ系の保護制御装置１２が運用から切り離される。これにより、旧設備であるＣ系およびＤ系の保護制御装置１３，１４による２重系の保護制御が開始される。ここで、Ｂ系の保護制御装置１２を旧設備から新設備に取替える（ステップＳＴ１０４）。
【００２５】
続いて、運転／停止モード設定部４０は、Ｃ系およびＤ系の保護制御装置１３，１４に対する各運転／停止モード信号２３，２４，３３，３４を「運転モード」であることを示す”１”から「停止モード」であることを示す”０”に切り替え（ステップＳＴ１０５）、新設備に取替えたＡ系およびＢ系の保護制御装置１１，１２に対する各運転／停止モード信号２１，２２，３１，３２を「停止モード」であることを示す”０”から「運転モード」であることを示す”１”に切り替える（ステップＳＴ１０６）。これにより、新設備であるＡ系およびＢ系の保護制御装置１１，１２による２重系の保護制御が開始される。
【００２６】
そして、Ｃ系の保護制御装置１３を旧設備から新設備に取替え（ステップＳＴ１０７）、運転／停止モード設定部４０は、新設備に取替えたＣ系の保護制御装置１３に対する各運転／停止モード信号２３，３３を「停止モード」であることを示す”０”から「運転モード」であることを示す”１”に切り替える（ステップＳＴ１０８）。これにより、新設備であるＡ系〜Ｃ系の保護制御装置１１〜１３による３重系の保護制御が開始される。
【００２７】
さらに、Ｄ系の保護制御装置１４を旧設備から新設備に取替え（ステップＳＴ１０９）、運転／停止モード設定部４０は、新設備に取替えたＤ系の保護制御装置１４に対する各運転／停止モード信号２４，３４を「停止モード」であることを示す”０”から「運転モード」であることを示す”１”に切り替える（ステップＳＴ１１０）。これにより、新設備であるＡ系〜Ｄ系の保護制御装置１１〜１４による４重系の保護制御が開始され、変電所保護制御システム１０における設備更新が完了する。
【００２８】
つまり、本実施の形態にかかる変電所保護制御システム１０の更新方法では、変電所１００内の変電所機器１０１に対する制御出力を行うｎ台（ｎは４以上の整数）の保護制御装置を有する構成において、ｋ台（ｋは２以上の整数）の保護制御装置を停止させ、そのｋ台の保護制御装置を旧設備から新設備に更新し、更新を完了していない（ｎ−ｋ）台の保護制御装置を停止させると共に、更新を完了したｋ台の保護制御装置の運転を開始し、更新を完了していない（ｎ−ｋ）台の保護制御装置を旧設備から新設備に更新し、その（ｎ−ｋ）台の保護制御装置の運転を開始することにより、少なくとも２重系の保護制御を行いつつ、運転／停止モード設定部４０による運転／停止モード信号の切り替えに要する極めて短時間で容易に旧設備から新設備への運用切り替えを行うことが可能となる。
【００２９】
なお、上述した例では、通常運用時においてＡ系〜Ｄ系の４台の保護制御装置１１〜１４による４重系の保護制御を行う構成例について説明したが、通常運用時において５重系以上の保護制御を行う構成、つまり、図３および図４に示すＤＩ部２０およびＤＯ部３０の構成を５重系以上の多重化に対応した構成としても、同様の効果が得られることは言うまでもない。
【００３０】
なお、通常運用時において４重系以上の保護制御を行う構成としては、全体構成においては、４以上の保護制御装置とこれら４以上の保護制御装置に対応する運転／停止モード設定部とを備え、ＤＩ部においては、変電所機器からの状態信号を受信して、受信した状態信号と運転／停止モード設定部から出力される各運転／停止モード信号との論理積を演算して、これら各演算結果をそれぞれ４以上の各保護制御装置への各状態信号として出力する４以上の論理積演算部を備え、ＤＯ部においては、４以上の各保護制御装置から出力される各制御出力と運転／停止モード設定部から出力される各運転／停止モード信号との論理積をそれぞれ演算する４以上の第１の演算部と、４以上の各保護制御装置のうち、いずれか１つを除いた３以上の各保護制御装置に対応する第１の演算部の各演算結果の論理積を演算する４以上の第２の演算部と、各運転／停止モード信号の論理反転を行う４以上の論理反転部と、４以上の各保護制御装置のうち、２以上の各保護制御装置に対応する各論理反転部の各演算結果の論理和を演算する６以上の第３の演算部と、４以上の各保護制御装置のうち、上記２以上の各保護制御装置を除いた他の２以上の各保護制御装置に対応する各第１の演算部の各演算結果と上記２以上の各保護制御装置に対応する第３の演算部の演算結果との論理積を演算する６以上の第４の演算部と、各第２の演算部の各演算結果の論理和を演算する第５の演算部と、各第４の演算部の各演算結果の論理和を演算する第６の演算部と、第５の演算部の演算結果と第６の演算部の演算結果との論理和を演算して、その演算結果を変電所機器１０１への制御信号として出力する第７の演算部とを備える構成、あるいは、第５の演算部、第６の演算部、および第７の演算部をまとめて１つの論理和演算回路を用いて構成し、各第２の演算部の各演算結果および各第４の演算部の各演算結果の論理和を変電所機器１０１への制御信号として出力するようにすればよい。
【００３１】
また、通常運用時において４重系の保護制御を行う必要がない場合には、例えば、運転／停止モード設定部４０からＤ系の保護制御装置１４の運転／停止モード信号２４，３４を「停止モード」であることを示す”０”から「運転モード」であることを示す”１”に切り替え、Ｄ系の保護制御装置１４を停止して、Ａ系〜Ｃ系の各保護制御装置１１〜１３からなる３重系の保護制御を行う構成で運用することも可能であるし、さらに、例えば、運転／停止モード設定部４０からＣ系およびＤ系の保護制御装置１３，１４の運転／停止モード信号２３，２４，３３，３４を「停止モード」であることを示す”０”から「運転モード」であることを示す”１”に切り替え、Ｃ系およびＤ系の保護制御装置１３，１４を停止して、Ａ系およびＢ系の各保護制御装置１１，１２からなる２重系の保護制御を行う構成で運用することも可能である。
【００３２】
以上説明したように、実施の形態の変電所保護制御システムによれば、変電所機器からの状態信号に基づいて、変電所機器に対する制御出力を行う４以上の複数台の保護制御装置と、これら各保護制御装置を個別に運転モードあるいは停止モードのいずれかに設定する機能を有し、各保護制御装置のうちの２以上を運転モードに設定する運転／停止モード設定部と、運転モードに設定された各保護制御装置に変電所機器からの状態信号を出力するＤＩ部と、運転モードに設定された各保護制御装置の各制御出力の論理積演算結果を変電所機器への制御信号として送信するＤＯ部とを備え、各保護制御装置を更新する際に、２以上の保護制御装置の更新完了後において、更新を完了していない２以上の保護制御装置を運転モードから停止モードに切り替えた後に、更新を完了した２以上の保護制御装置を停止モードから運転モードに切り替えるようにしたので、保護制御装置の更新時において、少なくとも２重系の保護制御を行いつつ、容易に、且つ、短時間で旧設備から新設備への運用切り替えを行うことが可能となる。
【００３３】
なお、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【符号の説明】
【００３４】
１０  変電所保護制御システム、１１〜１４  保護制御装置、２０  ＤＩ部、２１〜２４  運転／停止モード信号（ＤＩ部）、２５〜２８  状態信号（Ａ系〜Ｄ系）、２９  状態信号、３０  ＤＯ部、３１〜３４  運転／停止モード信号（ＤＯ部）、３５〜３８  制御出力（Ａ系〜Ｄ系）、４０  運転／停止モード設定部、５１〜５４  論理積演算部、６１〜６４  第１の演算部、６５〜６８  第２の演算部、７１〜７４  反転演算部、８１  第５の演算部、８２〜８７  第３の演算部、８８  第６の演算部、８９  第７の演算部、９１〜９６  第４の演算部、１００  変電所、１０１  変電所機器。
【図１】
2014107967.tif 000003
【図２】
2014107967.tif 000004
【図３】
2014107967.tif 000005
【図４】
2014107967.tif 000006
【図５】
2014107967.tif 000007